(57)【要約】【課題】本発明の課題は、同一のプリンタから出力されるプリントを目的に応じて効率良く分別することである。【解決手段】入力端末１０は、プリント指示を行う際に、通常プリントであるか、リプリントであるかの指示を取得して、オーダＩＤと対応付けてオーダ情報を生成し、プリントサーバ３０に送信する。プリントサーバ３０は、プリント指示が通常プリントである場合、画像データの向きを反転させずに印刷データに変換し、プリント指示がリプリントである場合、画像データを反転させて印刷データに変換し、プリンタに出力する。プリンタ４０は、プリントサーバ３０から印刷データを取得して、所定の向きにより印刷データを印刷用紙に出力する。【選択図】          図１
2004326428.tif 000002
【特許請求の範囲】
【請求項１】
画像データを記憶する画像データ記憶手段と、画像データに基づいてプリントを作成するプリント作成手段とを備えるプリントシステムであって、
前記プリント作成手段により作成されたプリントを再度作成する指示を入力する入力手段と、
プリントを再度作成する指示が入力された場合、対応する画像データを画像データ記憶手段から取得し、当該画像データを反転させてプリント作成手段に出力する制御手段と、
を備えることを特徴とするプリントシステム。
【請求項２】
画像データを記憶する画像データ記憶手段と、画像データに基づいてプリントを作成して出力するプリント出力手段とを備えるプリントシステムであって、
前記プリント出力手段により出力されたプリントを再度出力する指示を入力する入力手段と、
可動機構を備え、前記プリント出力手段により出力されたプリントを集積する排紙トレイと、
プリントを再度出力する指示が入力された場合、前記プリント出力手段からプリントを出力する前後に前記排紙トレイを所定方向に可動させる制御を行う制御手段と、
を備えることを特徴とするプリントシステム。
【請求項３】
画像データを記憶する画像データ記憶部と、画像データに基づいてプリントを作成するプリント作成手段とを備えるプリントシステムであって、
異なるサイズの印刷用紙をプリント作成手段に給紙する給紙手段と、
前記プリント作成手段により作成されたプリントを再度作成する指示を入力する入力手段と、
プリントを再度作成する指示が入力された場合、前記給紙手段を制御して、最初に作成されたプリントと異なるサイズの印刷用紙を給紙させる制御手段と、
を備えることを特徴とするプリントシステム。
【請求項４】
画像データを記憶する画像データ記憶手段と、画像データに基づいてプリントを作成して出力するプリント出力手段とを備えるプリントシステムであって、
前記プリント出力手段により出力されたプリントを再度出力する指示を入力する入力手段と、
プリントを再度出力する指示が入力された場合、前記プリント出力手段を制御して、当該プリントが出力される前又は後ろの少なくとも一方に白紙のプリントを出力させる制御手段と、
を備えることを特徴とするプリントシステム。
【請求項５】
画像データを記憶する画像データ記憶部と、画像データに基づいてプリントを作成するプリント作成手段とを備えるプリントシステムであって、
前記プリント作成手段により作成されたプリントの背面に印字を行う印字手段と、
前記プリント作成手段により作成されたプリントを再度作成する指示を入力する入力手段と、
プリントを再度作成する指示が入力された場合、前記印字手段を制御して、当該プリントの背面に印字を行わせる制御手段と、
を備えることを特徴とするプリントシステム。
【請求項６】
画像データを記憶する工程と、画像データに基づいてプリントを作成する工程とを含むプリント作成方法であって、
前記作成されたプリントを再度作成する指示を入力する工程と、
プリントを再度作成する指示が入力された場合、対応する画像データを取得し、当該画像データを反転させて出力する工程と、
を含むことを特徴とするプリント作成方法。
【請求項７】
画像データを記憶する工程と、画像データに基づいてプリントを作成して出力する工程とを含むプリント作成方法であって、
前記作成されたプリントを再度作成する指示を入力する工程と、
プリントを再度作成する指示が入力された場合、当該プリントを出力する前後に、出力されたプリントを集積する排紙トレイを所定方向に可動させる工程と、
を含むことを特徴とするプリント作成方法。
【請求項８】
画像データを記憶する工程と、画像データに基づいてプリントを作成する工程とを含むプリント作成方法であって、
異なるサイズの印刷用紙を給紙する工程と、
前記作成されたプリントを再度作成する指示を入力する工程と、
プリントを再度作成する指示が入力された場合、最初に作成されたプリントと異なるサイズの印刷用紙を給紙させる工程と、
を含むことを特徴とするプリント作成方法。
【請求項９】
画像データを記憶する工程と、画像データに基づいてプリントを作成して出力する工程とを含むプリント作成方法であって、
前記作成されたプリントを再度作成する指示を入力する工程と、
プリントを再度出力する指示が入力された場合、当該プリントが出力される前又は後ろの少なくとも一方に白紙のプリントを出力させる工程と、
を含むことを特徴とするプリント作成方法。
【請求項１０】
画像データを記憶する工程と、画像データに基づいてプリントを作成する工程とを含むプリント作成方法であって、
前記作成されたプリントの背面に印字を行う工程と、
前記作成されたプリントを再度作成する指示を入力する工程と、
プリントを再度作成する指示が入力された場合、当該プリントの背面に印字を行わせる工程と、
を含むことを特徴とするプリント作成方法。
【発明の詳細な説明】
【０００１】
【発明の属する技術分野】
本発明は、プリントシステム及びプリント作成方法に関するものである。
【０００２】
【従来の技術】
行楽施設や観光地などにおいては、カメラマンが観光客の撮影を行い、撮影した写真又は画像データをその場でプリントして提供するサービスが実施されている。また、ジェットコースターなどの乗り物に乗った人達を所定の箇所から自動撮影し、乗り物の出口にてその写真販売を行うサービスも実施されている。このようなサービスにおいては、撮影された写真又は画像データは１枚ずつプリントして掲示板等に掲示され、観光客が気に入ったプリントのみを購入するシステムとなっている。また、観光客が複数枚のプリントの購入を希望した場合、希望枚数の焼き増しプリントを提供する。
【０００３】
通常、このようなシステムにおいては、複数のプリンタが準備され、複数のプリンタからオーダされた順番に従って、掲示用のプリントと焼き増しプリントが出力される。そこで、これらのプリントを識別可能となるように、掲示用のプリントには通常のオーダＩＤが印字され、焼き増しプリントには薄めのオーダＩＤが印字される。これにより、販売員は、掲示用プリントと焼き増しプリントとを区別して、プリントを掲示板に掲示したり、顧客へ提供していた。
【０００４】
ここで、異なる記録用紙を識別可能に出力する方法としては、通常モードのコピージョブ実行時に、割り込みモードのコピージョブが入った場合、コピージョブ毎に、各々のコピージョブを識別するためのインデックスを付与する位置を異ならせることにより、通常モードの記録用紙と、割り込みモードの記録用紙とを識別しやすくする画像形成装置が知られている（例えば、特許文献１参照）
【０００５】
【特許文献１】
特開２００１−２２２２４号公報
【０００６】
【発明が解決しようとする課題】
しかしながら、従来のプリントシステムにおいては、掲示版に掲示するためのプリントと焼き増しプリントは、同一のプリンタを利用して出力されるため、販売員は混在して出力されるプリントのオーダＩＤをそれぞれ目視で確認した後、手作業で分別する必要があった。このため、プリントが大量に出力された場合、掲示用のプリントと、焼き増しプリントの判別がしにくく、作業が煩雑であるという問題があった。
【０００７】
また、上述した画像形成装置（特許文献１参照）のように、掲示用のプリントと焼き増しプリントを識別するために、位置の異なるインデックスを付与させることも可能であるが、プリントに異なるインデックスを付与することにより、掲示用のプリントと、焼き増しプリントとの形態が異なってしまい、顧客に提供するプリントの質が低下する問題があった。
【０００８】
或いは、掲示用プリントを出力するプリンタと、焼き増しプリントを出力するプリンタとに分けて利用することも可能であるが、焼き増しプリント用に別途プリンタを用意することは初期投資費用が係ると共に、焼き増しプリントは頻繁に行われないため、焼き増しプリント用のプリンタの稼動率が低下し、効率が悪いという問題があった。
【０００９】
本発明の課題は、同一のプリンタから出力されるプリントを目的に応じて効率良く分別することが可能なプリントシステム及びプリント作成方法を提供することである。
【００１０】
【課題を解決するための手段】
上記課題を解決するために、請求項１記載の発明は、
画像データを記憶する画像データ記憶手段と、画像データに基づいてプリントを作成するプリント作成手段とを備えるプリントシステムであって、
前記プリント作成手段により作成されたプリントを再度作成する指示を入力する入力手段と、
プリントを再度作成する指示が入力された場合、対応する画像データを画像データ記憶手段から取得し、当該画像データを反転させてプリント作成手段に出力する制御手段と、
を備えることを特徴とする。
【００１１】
したがって、最初に作成されたプリントと、再度作成されたプリントとは、上下が反転して出力されるため、最初に作成されたプリントと、再度作成されたプリントを容易に識別することができる。これにより、両者の仕分けを行う際に、確実かつ効率良く仕分け作業を行うことができる。また、最初に作成されたプリントと、再度作成されたプリントを同一の形態により作成することができるため、品質の良いプリントを提供することができる。
【００１２】
請求項２記載の発明は、
画像データを記憶する画像データ記憶手段と、画像データに基づいてプリントを作成して出力するプリント出力手段とを備えるプリントシステムであって、
前記プリント出力手段により出力されたプリントを再度出力する指示を入力する入力手段と、
可動機構を備え、前記プリント出力手段により出力されたプリントを集積する排紙トレイと、
プリントを再度出力する指示が入力された場合、前記プリント出力手段からプリントを出力する前後に前記排紙トレイを所定方向に可動させる制御を行う制御手段と、
を備えることを特徴とする。
【００１３】
したがって、最初に作成されたプリントと、再度作成されたプリントとは、排紙トレイ上の異なる位置に排出されるため、容易に両者を識別して、効率良く仕分け作業を行うことができる。
【００１４】
請求項３記載の発明は、
画像データを記憶する画像データ記憶部と、画像データに基づいてプリントを作成するプリント作成手段とを備えるプリントシステムであって、
異なるサイズの印刷用紙をプリント作成手段に給紙する給紙手段と、
前記プリント作成手段により作成されたプリントを再度作成する指示を入力する入力手段と、
プリントを再度作成する指示が入力された場合、前記給紙手段を制御して、最初に作成されたプリントと異なるサイズの印刷用紙を給紙させる制御手段と、
を備えることを特徴とする。
【００１５】
したがって、最初に作成されたプリントと、再度作成されたプリントとは、異なるサイズの印刷用紙に印刷されて出力されるため、容易に両者を識別して、効率良く仕分け作業を行うことができる。
【００１６】
請求項４記載の発明は、
画像データを記憶する画像データ記憶手段と、画像データに基づいてプリントを作成して出力するプリント出力手段とを備えるプリントシステムであって、
前記プリント出力手段により出力されたプリントを再度出力する指示を入力する入力手段と、
プリントを再度出力する指示が入力された場合、前記プリント出力手段を制御して、当該プリントが出力される前又は後ろの少なくとも一方に白紙のプリントを出力させる制御手段と、
を備えることを特徴とする。
【００１７】
したがって、再度作成されたプリントの前又は後ろの少なくとも一方に白紙のプリントが出力されるため、白紙のプリントの有無に基づいて、最初に作成されたプリントと、再度作成されたプリントとを識別することができ、効率良く仕分け作業を行うことができる。
【００１８】
請求項５記載の発明は、
画像データを記憶する画像データ記憶部と、画像データに基づいてプリントを作成するプリント作成手段とを備えるプリントシステムであって、
前記プリント作成手段により作成されたプリントの背面に印字を行う印字手段と、
前記プリント作成手段により作成されたプリントを再度作成する指示を入力する入力手段と、
プリントを再度作成する指示が入力された場合、前記印字手段を制御して、当該プリントの背面に印字を行わせる制御手段と、
を備えることを特徴とする。
【００１９】
したがって、再度作成されたプリントの背面には印字が行われ、最初に作成されたプリントには印字が行われないため、印字の有無に基づいて、容易に両者を識別して、効率良く仕分け作業を行うことができる。
【００２０】
請求項６記載の発明は、
画像データを記憶する工程と、画像データに基づいてプリントを作成する工程とを含むプリント作成方法であって、
前記作成されたプリントを再度作成する指示を入力する工程と、
プリントを再度作成する指示が入力された場合、対応する画像データを取得し、当該画像データを反転させて出力する工程と、
を含むことを特徴とする。
【００２１】
請求項７記載の発明は、
画像データを記憶する工程と、画像データに基づいてプリントを作成して出力する工程とを含むプリント作成方法であって、
前記作成されたプリントを再度作成する指示を入力する工程と、
プリントを再度作成する指示が入力された場合、当該プリントを出力する前後に、出力されたプリントを集積する排紙トレイを所定方向に可動させる工程と、
を含むことを特徴とする。
【００２２】
請求項８記載の発明は、
画像データを記憶する工程と、画像データに基づいてプリントを作成する工程とを含むプリント作成方法であって、
異なるサイズの印刷用紙を給紙する工程と、
前記作成されたプリントを再度作成する指示を入力する工程と、
プリントを再度作成する指示が入力された場合、最初に作成されたプリントと異なるサイズの印刷用紙を給紙させる工程と、
を含むことを特徴とする。
【００２３】
請求項９記載の発明は、
画像データを記憶する工程と、画像データに基づいてプリントを作成して出力する工程とを含むプリント作成方法であって、
前記作成されたプリントを再度作成する指示を入力する工程と、
プリントを再度出力する指示が入力された場合、当該プリントが出力される前又は後ろの少なくとも一方に白紙のプリントを出力させる工程と、
を含むことを特徴とする。
【００２４】
請求項１０記載の発明は、
画像データを記憶する工程と、画像データに基づいてプリントを作成する工程とを含むプリント作成方法であって、
前記作成されたプリントの背面に印字を行う工程と、
前記作成されたプリントを再度作成する指示を入力する工程と、
プリントを再度作成する指示が入力された場合、当該プリントの背面に印字を行わせる工程と、
を含むことを特徴とする。
【００２５】
【発明の実施の形態】
以下、図を参照して本発明の実施の形態を詳細に説明する。ただし、発明の範囲は、図示例に限定されない。
【００２６】
［第１の実施の形態］
まず、本発明を適用した第１の実施の形態における構成を説明する。
図１は、本発明係るプリントシステム１００のシステム構成を示す概念図である。図１に示すように、プリントシステム１００は、入力端末１０、カメラ２０、プリントサーバ３０、プリンタ４０ａ〜４０ｎ（以下、統括的に「プリンタ４０」と記す）等を備えて構成されている。また、入力端末１０とプリントサーバ３０は、ネットワークＮを介して相互にアクセス可能に接続され、プリントサーバ３０とプリンタ４０ａ〜４０ｎは、ケーブルＣにより接続されている。
【００２７】
ネットワークＮは、電話回線網、ＩＳＤＮ回線網、専用線、移動体通信網、通信衛星回線、ＣＡＴＶ回線網等の各種通信回線と、それらを接続するインターネットサービスプロバイダ基地局等を含む。ネットワークＮは、任意な時に接続が可能であればよく、常時接続されている必要はない。また、ネットワークＮは、情報管理の信頼性の観点から、特定のユーザのみアクセス可能なセキュリティを確保しているネットワークであることが望ましい。ケーブルＣは、ＲＳ−４２２、ＲＳ−４８５、ＳＣＳＩ等の規格の通信方式に準拠したケーブルであるが、これに限るものでなくＵＳＢ等の他の通信方式に準拠したケーブルでもよい。
【００２８】
以下、プリントシステム１００を構成する各部について詳細に説明する。
【００２９】
入力端末１０は、汎用のパーソナルコンピュータ（以下、「ＰＣ」と省略する）等から構成され、カメラ２０により撮影された画像データを記録したメモリＭから画像データを取得すると共に、オペレータから入力されるオーダ情報を取得し、画像データとオーダ情報とを対応付けて、プリント指示をプリントサーバ３０に出力する。
【００３０】
ここで、オーダ情報は、画像データからプリントを作成するための制御データ、設定条件等を含む情報であり、例えば、指示されたプリントが掲示板等に掲示するためのプリント（以下、「通常プリント」と記す）であるか、焼き増しプリント（以下、「リプリント」と記す）であるかを示す情報を含んでいる。また、その他にも、オーダＩＤ、プリント枚数、プリントサイズ、フレーム、レイアウト、印刷位置の指定、印刷範囲、余白等の書式に関する情報、オフセット（シフト）出力やトレイ切替等の排紙方法、濃度、用紙の向き等の情報を含んでいる。
【００３１】
図２は、入力端末１０の機能的構成を示すブロック図である。図２に示すように、制御部１１、入力部１２、表示部１３、Ｉ／Ｆ１４、通信部１５、メモリ１６、記憶部１７等を備えて構成されている。
【００３２】
制御部１１は、図示しないＣＰＵ（Ｃｅｎｔｒａｌ  Ｐｒｏｃｅｓｓｉｎｇ  Ｕｎｉｔ）等を備え、ＣＰＵは、記憶部１７に記憶される各種制御プログラムを読み出してメモリ１６に展開し、該制御プログラムに従って、入力端末１０を構成する各部の動作を集中制御する。具体的に、制御部１１は、記憶部１７からプリント指示処理プログラムを読み出して、プリントサーバ３０に画像データのプリントを指示するプリント指示処理（図５参照）を実行する。
【００３３】
入力部１２は、カーソルキー、数字入力キー、及び各種機能キーを備えたキーボードを含み、このキーボードで押下されたキーに対応する押下信号をＣＰＵ１１に出力する。なお、入力部１２は、必要に応じてマウス、タッチパネル等のポインティングデバイスや、その他の入力装置を備えるものとしてもよい。
【００３４】
表示部１３は、ＣＲＴ（Ｃａｔｈｏｄｅ  Ｒａｙ  Ｔｕｂｅ）やＬＣＤ（Ｌｉｑｕｉｄ  Ｃｒｙｓｔａｌ  Ｄｉｓｐｌａｙ）等によってなる表示画面を備え、制御部１１から入力される表示信号の指示に従って入力部１２、通信部１５を介して送受信される表示データを画面上に表示する。
【００３５】
Ｉ／Ｆ１４は、入力端末１０とメモリＭとを接続するためのインターフェイスであり、入力端末１０とメモリＭとの間で、画像データ等の転送速度の調整や、データ形式の変換を行い、両者間のデータのやりとりを仲介する。
【００３６】
通信部１５は、ＬＡＮ、ＷＡＮ、あるいはインターネット等のネットワークＮに接続された伝送媒体に接続可能なインターフェ−スである。通信部１５は、モデムまたはターミナルアダプタ（ＴＡ：Ｔｅｒｍｉｎａｌ  Ａｄａｐｔｅｒ）等によって構成され、電話回線、ＩＳＤＮ回線、無線通信回線、専用線、ＣＡＴＶ回線等の通信回線を介して外部機器との通信を行うための制御を行う。
【００３７】
メモリ１６は、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等から構成され、制御部１１によって実行される各種プログラムやこれら各種プログラムに係るデータ等を一時的に記憶するワークエリアを形成する。
【００３８】
記憶部１７は、プログラムやデータ等があらかじめ記憶されている記録媒体（図示せず）を有しており、この記録媒体は磁気的、光学的記録媒体、若しくは半導体メモリで構成されている。この記録媒体は記憶部１７に固定的に設けられるもの、若しくは着脱自在に装着するものであり、この記録媒体には、システムプログラム、当該システムに対応する各種処理プログラム、及び各種処理プログラムで処理されたデータ等を記憶する。
【００３９】
また、記録媒体に記憶するプログラム、データ等は、その一部若しくは全部をサーバやクライアント等の他の機器からＷＡＮ、ＬＡＮ等のネットワーク回線の伝送媒体を介して通信部１５から受信して記憶する構成にしてもよく、さらに、記録媒体はネットワーク上に構築されたサーバの記録媒体であってもよい。また、前記プログラムをネットワーク回線等の伝送媒体を介してサーバやクライアントへ伝送してこれらの機器にインストールするように構成してもよい。
【００４０】
カメラ２０は、図示しないガラス又はプラスチックからなる光学レンズ、及びＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ−ｏｘｉｄｅ  Ｓｅｍｉｃｏｎｄｕｃｔｏｒ）等の光学センサを備え、光学レンズを介して入力される静止画像又は動画像を光学センサで電気信号に変換して画像データを生成する。また、カメラ２０は、取得した画像データを記録するためのメモリＭを備え、取得した画像データをメモリＭに記録する。
【００４１】
メモリＭは、例えば、半導体素子にデータを電子的に保存する書き換え可能な不揮発性メモリであり、カメラ２０に着脱可能に構成されている。メモリＭは、カメラ２０から着脱されて入力端末１０のＩ／Ｆ１４に接続され、Ｉ／Ｆ１４を介して、記録された画像データを入力端末１０に出力する。
【００４２】
プリントサーバ３０は、汎用のパーソナルコンピュータ等により構成され、入力端末１０から入力されるオーダ情報と画像データを取得して、オーダ情報と画像データの管理及びオーダ情報に従ってプリントを作成するためにプリンタ４０の制御を行う装置である。
【００４３】
図３は、プリントサーバ３０の機能的構成を示すブロック図である。図３に示すようにプリントサーバ３０は、オーダ制御部３１、プリント制御部３２、入力部３３、表示部３４、Ｉ／Ｆ３５、通信部３６、メモリ３７、プリントメモリ３８、画像メモリ３９等を備えて構成されている。
【００４４】
オーダ制御部３１は、メモリ３７に記憶される各種システムプログラムを読み出して実行し、プリントサーバ３０の各部を駆動制御する。具体的に、オーダ制御部３１は、メモリ１７に記憶されるオーダ登録処理プログラムを読み出して、入力端末１０から受信したオーダ情報をプリンタ４０に対するプリント指示として登録するオーダ登録処理（図６参照）を実行する。
【００４５】
プリント制御部３２は、メモリ３７に記憶される各種システムプログラムを読み出して実行し、プリントサーバ３０の各部を駆動制御する。具体的に、プリント制御部３２は、後述するメモリ１７からプリンタ制御処理プログラムを読み出して、登録されたオーダ情報に従ってプリンタ４０にプリントを作成させるためのプリンタ制御処理（図７参照）を実行する。
【００４６】
入力部３３は、カーソルキー、数字入力キー、及び各種機能キーを備えたキーボードを含み、このキーボードで押下されたキーに対応する押下信号を出力する。なお、入力部３３は、必要に応じてマウス、タッチパネル等のポインティングデバイスや、その他の入力装置を備えるものとしてもよい。
【００４７】
表示部３４は、ＣＲＴやＬＣＤ等によってなる表示画面を備え、オーダ制御部３１又はプリント制御部３２から入力される表示信号の指示に従って入力部３３、通信部３６を介して送受信される表示データを画面上に表示する。
【００４８】
Ｉ／Ｆ３５は、プリントサーバ３０とプリンタ４０とを接続するためのインターフェイスであり、プリントサーバ３０とプリンタ４０との間で、画像データ等の転送速度の調整や、データ形式の変換を行い、両者間のデータのやりとりを仲介する。このＩ／Ｆ３５は、例えば、ＵＳＢポートやＲＳ−２３２Ｃ端子等のシリアル入出力端子、パラレル端子、ＳＣＳＩインターフェイス、ＩｒＤＡ規格に準じた赤外線ポート等により構成される。
【００４９】
通信部３６は、ＬＡＮ、ＷＡＮ、あるいはインターネット等のネットワークＮに接続された伝送媒体に接続可能なインターフェ−スである。通信部３５は、モデムまたはターミナルアダプタ等によって構成され、電話回線、ＩＳＤＮ回線、無線通信回線、専用線、ＣＡＴＶ回線等の通信回線を介して外部機器との通信を行うための制御を行う。
【００５０】
メモリ３７は、ＲＡＭ、ＲＯＭ等から構成され、オーダ制御部３１又はプリント制御部３２によって実行される各種プログラムやこれら各種プログラムに係るデータ等を一時的に記憶するワークエリアを形成する。
【００５１】
プリントメモリ３８は、ＤＲＡＭ（Ｄｙｎａｍｉｃ  Ｒａｎｄｏｍ  Ａｃｃｅｓｓ  Ｍｅｍｏｒｙ）により構成されており、プリントサーバ３０に接続されるプリンタ４０を管理するためのステータス管理テーブル３８１、入力端末１０から受信したオーダ情報を管理するためのオーダ管理テーブル３８２を格納している。
【００５２】
図４を参照して、ステータス管理テーブル３８１、オーダ管理テーブル３８２について説明する。図４（ａ）は、ステータス管理テーブル３８１のデータ構成例を示す図である。図４（ａ）に示すように、ステータス管理テーブル３８１には、マックアドレス、ステータス、オーダＩＤ、…、開始日時等を格納する項目を有し、各プリンタ４０に対応するデータが格納されている。
【００５３】
マックアドレスの項目には、プリンタ４０に一義的に割り当てられた号機番号（例えば、「ＲＣ０００１」、「ＲＣ０００２」、…「ＲＣ０００７」）が格納される。ステータスの項目には、プリンタの稼動状況を示す情報（例えば、「プリント中」、「待機中」、…、「切断中」）が格納される。オーダＩＤの項目には、ステータスがプリント中である場合、プリントを作成している画像データのオーダＩＤ（例えば、「１００１０」）が格納される。開始日時の項目には、ステータスがプリント中である場合、プリントを開始した日時を示す情報（例えば、「１５：２３  ０３／４／５」）が格納される。
【００５４】
次に、図４（ｂ）は、オーダ管理テーブル３８２のデータ構成例を示す図である。図４（ｂ）に示すように、オーダ管理テーブル３８２は、オーダ情報として、オーダＩＤ、プリント種別、プリント枚数、プリントサイズ等を格納する項目を有し、各オーダ情報に対応するデータが格納されている。
【００５５】
オーダＩＤの項目には、画像データに一義的に割り当てられた識別情報（例えば、「１０００１」、「１０００２」、…「１９９９９」）が格納される。プリント種別の項目には、指示されたプリントの種別（例えば、「通常プリント」、「リプリント」）が格納される。プリント枚数の項目には、出力すべきプリントの枚数（例えば、「１」、「３」）が格納され、プリントサイズの項目には、プリントする印刷用紙のサイズ（例えば、「Ｌ版」）が格納される。
【００５６】
なお、オーダ管理テーブル３８２には、上述した他、フレーム、レイアウト、印刷位置の指定、印刷範囲、余白等の書式に関する情報、オフセット（シフト）出力やトレイ切替等の排紙方法、濃度、用紙の向き等のデータが記録されている。
【００５７】
図３に戻り、画像メモリ３９は、ＤＲＡＭ等により構成されており、スプールフォルダ３９１、バックアップフォルダ３９２、プリントフォルダ３９３を備えている。スプールフォルダ３９１は、入力端末１０から通信部３６を介して受信したオーダ情報及び画像データを一時的に記憶する。バックアップフォルダ１９２は、オーダ制御部３１の制御に従って、スプールフォルダに記憶された画像データをバックアップデータとして記憶する。プリントフォルダ３９３は、オーダ制御部３１の制御に従って、バックアップフォルダ３９２に記憶された画像データのコピーを記憶し、プリント制御部３２の制御に従って、画像データが読み出される。
【００５８】
プリンタ４０ａ〜４０ｎは、レーザ光源、感光ドラム、トナー、給紙部、排紙部等を備えて構成されており、プリントサーバ３０から出力された印刷データに基づいて、感光ドラム表面にレーザ光を照射することにより読み取られた画像の静電潜像を形成する。また、プリンタ４０は、印刷データに含まれる制御データに基づいて、所定のサイズ、向きの印刷用紙を給紙部から搬送し、感光ドラム表面の静電潜像を含む領域にトナーを付着させ、搬送された印刷用紙にトナーを転写して定着させた後、排紙部から排出する。
【００５９】
次に、本実施の形態の動作を説明する。
なお、動作説明の前提として、以下のフローチャートに記述されている各処理を実現するためのプログラムは、入力端末１０の制御部１１、プリントサーバ３０のオーダ制御部３１又はプリント制御部３２が読み取り可能なプログラムコードの形態で入力端末１０の記憶部１７、プリントサーバ３０のメモリ３７に格納されており、制御部１１、オーダ制御部３１又はプリント制御部３２は、当該プログラムコードに従った動作を逐次実行する。
【００６０】
まず、入力端末１０により実行されるプリント指示処理について説明する。
図５は、入力端末１０の制御部１１により実行されるプリント指示処理を示すフローチャートである。図５に示すように、制御部１１は、入力部１２を介して、オペレータからプリント指示が入力されたか否かを判別する（ステップＳ１）。プリント指示が入力された場合（ステップＳ１；ＹＥＳ）、制御部１１は、プリント指示が通常プリントであるか、リプリントであるかを判別する（ステップＳ２）。
【００６１】
ここで、プリント指示が通常プリントである場合（ステップＳ２；ＹＥＳ）、制御部１１は、オーダＩＤを発行する（ステップＳ３）。また、制御部１１は、入力部１２を介して、オーダ（例えば、プリント枚数、プリントサイズ、フレーム、レイアウト、印刷位置の指定、印刷範囲、余白等の書式に関する情報、オフセット出力やトレイ切替等の排紙方法、濃度、用紙の向き等）を入力させ、オーダＩＤと対応付けてオーダ情報を生成する（ステップＳ４）。
【００６２】
続いて、制御部１１は、Ｉ／Ｆ１４にアクセスして、メモリＭがセットされているか否かを判別する（ステップＳ５）。メモリＭがＩ／Ｆ１４にセットされている場合（ステップＳ５；ＹＥＳ）、制御部１１は、Ｉ／Ｆ１４を制御して、メモリＭから画像データを取得し、発行したオーダＩＤを付帯させる（ステップＳ７）。なお、Ｉ／Ｆ１４にメモリＭがセットされていない場合（ステップＳ５；ＮＯ）、制御部１１は、表示部１３にエラー表示を行い（ステップＳ６）、メモリＭをセットさせる。
【００６３】
続いて、制御部１１は、オーダ情報及びオーダＩＤが付帯された画像データを、プリント指示としてプリントサーバ３０に送信し（ステップＳ７）、本プリント指示処理を終了する。
【００６４】
また、プリント指示が通常プリントでない場合（ステップＳ２；ＮＯ）、すなわち、プリント指示がリプリントである場合、制御部１１は、入力部１２を介して、リプリントを行う画像データのオーダＩＤを入力させる（ステップＳ９）。続いて、オーダを入力させて、オーダＩＤと対応付けてオーダ情報を生成する（ステップＳ１０）。そして、制御部１１は、オーダ情報をプリント指示として、プリントサーバ３０に送信し（ステップＳ１１）、本プリント指示処理を終了する。
【００６５】
次に、プリントサーバ３０により実行されるオーダ登録処理、プリンタ制御処理について説明する。図６は、プリントサーバ３０のオーダ制御部３１により実行されるオーダ登録処理を示すフローチャートである。図６に示すように、オーダ制御部３１は、入力端末１０からオーダ情報を受信したか否かを判別し（ステップＳ２１）、オーダ情報を受信した場合（ステップＳ２１；ＹＥＳ）、プリント指示が通常プリントであるか否かを判別する（ステップＳ２２）。
【００６６】
プリント指示が通常プリントである場合（ステップＳ２２；ＹＥＳ）、オーダ制御部３１は、スプールフォルダ３９１を監視して（ステップＳ２３）、スプールフォルダに対応する画像データが格納されたか否かを判別する（ステップＳ２４）。そして、スプールフォルダに画像データが格納されると、画像データのバックアップデータをバックアップフォルダ３９２に格納させる（ステップＳ２５）。
【００６７】
続いて、オーダ制御部３１は、ステータス管理テーブル３８１を参照して（ステップＳ２８）、空きプリンタがあるか否かを判別する（ステップＳ２９）。空きプリンタがない場合（ステップＳ２９；ＮＯ）、稼動中のプリンタが処理を終了するまで待機する。空きプリンタがある場合（ステップＳ２９；ＹＥＳ）、バックアップフォルダに格納されている画像データのコピーをプリントフォルダ３９３に格納させる（ステップＳ３０）。そして、オーダ制御部３１は、オーダ情報をオーダ管理テーブル３８１に登録して（ステップＳ３１）、ステップＳ２１に移行し、上述した処理を繰り返して実行する。
【００６８】
一方、プリント指示が通常プリントでない場合（ステップＳ２２；ＮＯ）、すなわち、プリント指示がリプリントである場合、オーダ制御部３１は、バックアップフォルダ３９２を参照して（ステップＳ２６）、指示されたオーダＩＤに対応する画像データが格納されているか否かを判別する（ステップＳ２７）。ここで、指示されたオーダＩＤに対応する画像データがバックアップフォルダに格納されていない場合（ステップＳ２７；ＮＯ）、オーダ制御部３１は、所定のエラー処理を実行する。
【００６９】
一方、バックアップフォルダに指示されたオーダＩＤに対応する画像データが格納されている場合（ステップＳ２７；ＹＥＳ）、オーダ制御部３１は、ステップＳ２８に移行して、上述したステップＳ２８〜Ｓ３１の処理を実行し、オーダ情報の登録を行う。
【００７０】
図７は、プリントサーバ３０のプリント制御部３２により実行されるプリンタ制御処理を示すフローチャートである。図７に示すように、プリント制御部３２は、オーダ管理テーブル３８２を監視して（ステップＳ４１）、新たなオーダ情報が登録されたか否かを判別する（ステップＳ４２）。オーダ情報が登録された場合（ステップＳ４２；ＹＥＳ）、プリント制御部３２は、オーダ管理テーブル３８２からオーダ情報を取得すると共に（ステップＳ４３）、プリントフォルダ３９３から対応する画像データを取得する（ステップＳ４４）。
【００７１】
続いて、プリント制御部３２は、プリント指示が通常プリントであるか否かを判別し（ステップＳ４５）、通常プリントである場合（ステップＳ４５）、取得した画像データを反転させることなく、所定のページ記述言語によってプリンタ４０で印刷可能なデータ形式に変換する（ステップＳ４６）。一方、プリント指示が通常プリントでない場合（ステップＳ４５；ＮＯ）、すなわち、プリント指示がリプリントである場合、プリント制御部３２は、取得した画像データを反転をさせた後、所定のページ記述言語によってプリンタ４０で印刷可能な印刷データに変換する（ステップＳ４７）。なお、この印刷データには、プリンタ４０が実行可能なデータ形式による制御データが含まれている。
【００７２】
また、画像データの反転とは、画像データの上下の向きを逆にすることであり、画像データを反転させることにより、プリンタ４０から出力されるプリントの向きが逆方向となる。すなわち、通常プリントを出力する場合、画像データの反転を行わず、リプリントを出力する場合、画像データを反転させることにより、プリンタから出力される画像データの向きに応じて、プリントが通常プリントであるか、リプリントであるかを容易に判別することができる。
【００７３】
さらに、プリント制御部３２は、Ｉ／Ｆ３５を介して接続されているプリンタ４０のステータスを監視し（ステップＳ４８）、空きプリンタがあるか否かを判別する（ステップＳ４９）。空きプリンタがない場合（ステップＳ４９；ＮＯ）、稼動中のプリンタが処理を終了するまで待機する。空きプリンタがある場合（ステップＳ４９；ＹＥＳ）、プリント制御部３２は、空きプリンタに印刷データを出力し（ステップＳ５０）、該当するプリンタについて、ステータス管理テーブル２８１を更新する。
【００７４】
さらに、プリント制御部３２は、プリンタ４０のステータスを監視し、プリントが終了したか否かを判別する（ステップＳ５２）。そして、プリントが終了した場合（ステップＳ５２；ＹＥＳ）、該当するプリンタについて、ステータス管理テーブル２８１を更新し、ステップＳ４１に移行して、上述した処理を繰り返して実行する。
【００７５】
図８は、プリンタ４０から出力された通常プリント及びリプリントの態様を示す図である。図８に示すように、１枚目のプリントは上下の向きが逆の方向により出力されており、リプリントであることが容易に判別される。また、２枚目以降のプリントは、上下の向きが正しく出力されており、通常のプリントであることが容易に判別される。
【００７６】
以上のように、本第１の実施の形態によれば、入力端末１０は、プリント指示を行う際に、通常プリントであるか、リプリントであるかの指示を取得して、オーダＩＤと対応付けてオーダ情報を生成し、プリントサーバ３０に送信する。プリントサーバ３０は、プリント指示が通常プリントである場合、画像データの向きを反転させずに印刷データに変換し、プリント指示がリプリントである場合、画像データを反転させて印刷データに変換し、プリンタに出力する。プリンタ４０は、プリントサーバ３０から印刷データを取得して、所定の向きにより印刷データを印刷用紙に出力する。
【００７７】
したがって、プリンタ４０から出力されるプリントは、その種類に応じて出力される方向が異なる構成となる。すなわち、通常プリントと、リプリントでは、出力された際の向きが逆方向となるため、容易に両者を見分けることができ、販売員は効率良く通常プリントとリプリントを分別することができる。これにより、販売員の作業負担を軽減させ、業務効率を向上させることができる。また、通常プリントとリプリントを確実に分別することができるため、リプリントが掲示板に掲示されてしまう等の作業ミスを減らすことができる。
【００７８】
［第２の実施の形態］
次に、上述した第１の実施の形態におけるプリントシステム１００を利用した第２の実施の形態について説明する。なお、プリントシステム１００のシステム構成及びプリントシステム１００を構成する各装置については、上述した第１の実施の形態と同一であるため、図示及び詳細な説明を省略する。以下では、第２の実施の形態につき特徴的な部分について説明を行う。
【００７９】
本第２の実施の形態として、プリントサーバ３０のプリント制御部３２は、上述したプリンタ制御処理において、プリント種別に応じて排紙トレイを制御する制御データを印刷データに付帯させる。すなわち、プリンタ制御部３２は、図７のステップＳ４７において、画像データの反転を行わず、排紙トレイの動作を制御する制御データを含む印刷データに変換する。
【００８０】
ここで、プリンタ４０の排紙トレイは、印刷用紙の幅又は長さ方向に移動可能な可動機構を備えており、プリント種別に応じて、排紙トレイを一定間隔で移動させ、プリントの出力を行う。すなわち、プリンタ４０は、印刷データに含まれる制御データに従って、プリント種別が通常プリントである場合、排紙トレイの動作を禁止する。また、プリント種別がリプリントである場合、プリントの排紙前に、排紙トレイをプリントの幅又は長さ方向に一定間隔で移動させ、プリントの排紙終了後に、排紙トレイを元の位置に移動させる。
【００８１】
図９は、第２の実施の形態において、プリンタ４０から出力される通常プリント及びリプリントの態様を示す図である。図９に示すように、通常プリントとリプリントは、プリントの幅方向に一定間隔ずれて出力されるため、排紙トレイに排出された段階で、通常プリントかリプリントであるかを容易に識別することができる。これにより、販売員は、効率良く通常プリントとリプリントを分別することができると共に、通常プリントとリプリントの形態を変化させることなく、同一のプリントとして顧客に提供することができる。
【００８２】
［第３の実施の形態］
上述した第１の実施の形態におけるプリントシステム１００を利用した第３の実施の形態について説明する。なお、プリントシステム１００のシステム構成及びプリントシステム１００を構成する各装置については、上述した第１の実施の形態と同一であるため、図示及び詳細な説明を省略する。以下では、第３の実施の形態につき特徴的な部分について説明を行う。
【００８３】
本第３の実施の形態として、プリントサーバ３０のプリント制御部３２は、上述したプリンタ制御処理において、プリント種別に応じてプリントサイズを変更する制御を行う。すなわち、プリンタ制御部３２は、図７のステップＳ４７において、画像データの反転を行わず、給紙カセットの種別を変更した制御データを含む印刷データに変換する。
【００８４】
ここで、プリンタ４０は、複数のサイズの異なる印刷用紙を給紙するため、複数の給紙カセットを備えており、具体的には、通常プリントを印刷するための印刷用紙を給紙する給紙カセットＡと、リプリントを印刷するための印刷用紙を給紙する給紙カセットＢとを備えている。また、給紙カセットＡには、例えば、Ｌ版サイズ（１２７ｍｍ×８９ｍｍ）の印刷用紙がセットされており、給紙カセットＢには、Ｌ版を長くしたサイズ（１４７ｍｍ×８９ｍｍ）の印刷用紙がセットされている。
【００８５】
したがって、プリンタ制御部３２は、プリント指示が通常プリントである場合、印刷データに含まれる制御データを給紙カセットＡに設定する。また、プリント指示がリプリントである場合、印刷データに含まれる制御データを給紙カセットＢに設定する。また、印刷データを取得したプリンタ４０は、印刷データに含まれる制御データに従って、給紙カセットの切替を行い、印刷データに応じた印刷用紙に印刷を行う。
【００８６】
図１０は、第３の実施の形態において、プリンタ４０から出力される通常プリント及びリプリントの態様を示す図である。図１０に示すように、リプリントは、Ｌ版より長いサイズの印刷用紙であるため、プリントに余白部分を要している。また、通常プリントは、印刷用紙全体に画像データが印刷される構成となっている。この構成によれば、印刷用紙のサイズ、余白の有無に応じて、プリンタ４０から出力された通常プリントとリプリントを容易に識別することができ、効率良く両者を分別することができる。
【００８７】
また、リプリントの有する余白部分については、顧客に提供する前にカットすることにより、顧客に提供されるプリントの形態は、通常プリントとリプリントで異なることがなく、品質の良いプリントを提供することができる。
【００８８】
なお、本第３の実施の形態は、上述した例に限定されない。例えば、印刷用紙は上述したカット紙でなくてもよく、連続紙であってもよい。すなわち、プリンタ４０の給紙部には連続紙が装着され、プリンタ４０は、制御データに従って所定のサイズに連続紙をカットして印刷を行う構成であっても良い。この場合、プリンタ４０は、通常プリントの場合、Ｌ版サイズに連続紙をカットして印刷を行い、リプリントの場合、Ｌ版サイズより長いサイズに連続紙をカットして印刷を行う。
【００８９】
［第４の実施の形態］
次に、上述した第１の実施の形態におけるプリントシステム１００を利用した第３の実施の形態について説明する。なお、プリントシステム１００のシステム構成及びプリントシステム１００を構成する各装置については、上述した第１の実施の形態と同一であるため、図示及び詳細な説明を省略する。以下では、第４の実施の形態につき特徴的な部分について説明を行う。
【００９０】
本第４の実施の形態として、プリントサーバ３０のプリント制御部３２は、上述したプリンタ制御処理において、プリント種別に応じてプリントの前又は後ろに白紙プリントを出力させる制御データを印刷データに付帯させる。すなわち、プリンタ制御部３２は、図７のステップＳ４７において、画像データの反転を行わず、リプリントの出力の前又は後ろに白紙プリントを出力させる制御データを含む印刷データに変換する。
【００９１】
印刷データを取得したプリンタ４０は、制御データに従って、プリント種別が通常プリントである場合、印刷データを印刷用紙に印刷して、プリントの出力を行う。一方、プリント種別がリプリントである場合、プリンタ４０は、白紙プリントを出力した後に、印刷データを印刷用紙に印刷して、プリントの出力を行うか、印刷データを印刷用紙に印刷してプリントの出力を行った後に、白紙プリントを出力する。或いは、プリントの出力前後にそれぞれ白紙プリントを出力する構成であってもよい。
【００９２】
図１１は、第４の実施の形態において、プリンタ４０から出力される通常プリント及びリプリントの態様を示す図である。図１１に示すように、出力されたプリントの中に白紙プリントが混在しているため、例えば、リプリントの後ろに白紙プリントを出力する構成とした場合、１枚目のプリントはリプリントであり、２枚目以降のプリントは通常プリントであることを容易に認識できる。これにより、販売員は、通常プリントとリプリントを効率良く分別して、効率良く作業を行うことができる。また、顧客には、通常プリントとリプリントの形態が区別されることなく、同一のプリントを提供することができる。
【００９３】
なお、上述した本第１から第４の実施の形態における記述は、本発明に係る好適なプリントシステム１００の一例であり、これに限定されるものではない。
【００９４】
例えば、プリンタ４０に、プリントの背面にバックマークを印刷可能な印刷機構を備え、プリンタ４０は、制御データに含まれるプリント種別に応じて、リプリントの背面にバックマークを印刷する構成であっても良い。これにより、販売員は、プリントの背面に印刷されたバックマークの有無に基づいて、的確に通常プリントとリプリントを分別することができ、効率良く作業を行うことができる。
【００９５】
また、印刷されたプリントを排出トレイに送り出す送り出し機構において、例えば、ローラによりプリントを送り出す場合、左右のローラの回転数を変化させることにより、排出されたプリントの出力方向を変化させる構成であっても良い。具体的には、プリンタ４０は、制御データに含まれるプリント種別に応じて、通常プリントである場合、ローラの回転数を左右で同一にして排出する。一方、リプリントである場合、ローラの回転数を左右で変化させることにより、プリントの出力方向を９０度変化させて排出する。
【００９６】
これにより、プリント種別に応じてプリントの出力方向が異なって排出されるため、販売員は一見しただけで通常プリントとリプリントを仕分けることができ、迅速かつ確実に仕分け作業を行うことができる。
【００９７】
さらに、上述したプリントシステム１００のプリントサーバ３０は、１つのコンピュータにより構成される例について説明を行ったが、複数のコンピュータがＬＡＮ、ＷＡＮイントラネット、あるいはインターネット等のネットワークを介して通信接続されたコンピュータネットワークシステムにより構成されるものとしてもよい。複数のコンピュータにより構成されるコンピュータネットワークシステムとした場合は、上述の処理を、各コンピュータにて分散して処理することが望ましい。
【００９８】
例えば、図１２に示すように、プリントシステム２００は、入力端末１０、オーダ制御装置５０、プリント制御装置６０、プリント制御装置６０に接続されるプリンタ４０を備える構成とし、上述したオーダ制御部３１と、プリント制御部３２により実行される処理をオーダ制御装置５０、プリント制御装置６に分散して処理する構成であっても良い。或いは、図１３に示すように、プリントシステム３００は、入力端末１０と、入力端末１０に接続されるプリンタ４０を備え、入力端末１０の制御部１１にオーダ制御部１１１と、プリント制御部１１２を備える構成としても良い。
【００９９】
その他、本実施の形態におけるプリントシステム１００における各構成要素の細部構成及び細部動作に関しては、本発明の趣旨を逸脱することのない範囲で適宜変更可能であることはもちろんである。
【０１００】
【発明の効果】
請求項１又は６記載の発明によれば、最初に作成されたプリントと、再度作成されたプリントとは、上下が反転して出力されるため、最初に作成されたプリントと、再度作成されたプリントを容易に識別することができる。これにより、両者の仕分けを行う際に、確実かつ効率良く仕分け作業を行うことができる。また、最初に作成されたプリントと、再度作成されたプリントを同一の形態により作成することができるため、品質の良いプリントを提供することができる。
【０１０１】
請求項２又は７記載の発明によれば、最初に作成されたプリントと、再度作成されたプリントとは、排紙トレイ上の異なる位置に排出されるため、容易に両者を識別して、効率良く仕分け作業を行うことができる。
【０１０２】
請求項３又は８記載の発明によれば、最初に作成されたプリントと、再度作成されたプリントとは、異なるサイズの印刷用紙に印刷されて出力されるため、容易に両者を識別して、効率良く仕分け作業を行うことができる。
【０１０３】
請求項４又は９記載の発明によれば、再度作成されたプリントの前又は後ろの少なくとも一方に白紙のプリントが出力されるため、白紙のプリントの有無に基づいて、最初に作成されたプリントと、再度作成されたプリントとを識別することができ、効率良く仕分け作業を行うことができる。
【０１０４】
請求項５又は１０記載の発明によれば、再度作成されたプリントの背面には印字が行われ、最初に作成されたプリントには印字が行われないため、印字の有無に基づいて、容易に両者を識別して、効率良く仕分け作業を行うことができる。
【図面の簡単な説明】
【図１】本発明を適用した第１から第４の実施の形態におけるプリントシステム１００のシステム構成を示す概念図である。
【図２】図１に示す入力端末１０の機能的構成を示すブロック図である。
【図３】図１に示すプリントサーバ３０の機能的構成を示すブロック図である。
【図４】（ａ）図３に示すステータス管理テーブル３８１のデータ構成例を示す図である。（ｂ）図３に示すオーダ管理テーブル３８２のデータ構成例を示す図である。
【図５】図２に示す入力端末１０の制御部１１により実行されるプリント指示処理を示すフローチャートである。
【図６】図３に示すプリントサーバ３０のオーダ制御部３１により実行されるオーダ登録処理を示すフローチャートである。
【図７】図３に示すプリントサーバ３のプリント制御部３２により実行されるプリンタ制御処理を示すフローチャートである。
【図８】第１の実施の形態における通常プリント及びリプリントの出力態様の一例を示す図である。
【図９】第２の実施の形態における通常プリント及びリプリントの出力態様の一例を示す図である。
【図１０】第３の実施の形態における通常プリント及びリプリントの出力態様の一例を示す図である。
【図１１】第４の実施の形態における通常プリント及びリプリントの出力態様の一例を示す図である。
【図１２】本発明を適用した他の実施の形態におけるプリントシステム２００のシステム構成を示す概念図である。
【図１３】本発明を適用した他の実施の形態におけるプリントシステム３００のシステム構成を示す概念図である。
【符号の説明】
１０    入力端末
１１    制御部
１２    入力部
１３    表示部
１４    Ｉ／Ｆ
１５    通信部
１６    メモリ
１７    記憶部
２０    カメラ
３０    プリントサーバ
３１    オーダ制御部
３２    プリント制御部
３３    入力部
３４    表示部
３５    Ｉ／Ｆ
３６    通信部
３７    メモリ
３８    プリントメモリ
３８１    ステータス管理テーブル
３８２    オーダ管理テーブル
３９    画像メモリ
３９１    スプールフォルダ
３９２    バックアップフォルダ
３９３    プリントフォルダ
４０ａ〜４０ｎ    プリンタ
１００，２００，３００    プリントシステム
Ｃ    ケーブル
Ｍ    メモリ
Ｎ    ネットワーク
【図１】
2004326428.tif 000003
【図２】
2004326428.tif 000004
【図３】
2004326428.tif 000005
【図４】
2004326428.tif 000006
【図５】
2004326428.tif 000007
【図６】
2004326428.tif 000008
【図７】
2004326428.tif 000009
【図８】
2004326428.tif 000010
【図９】
2004326428.tif 000011
【図１０】
2004326428.tif 000012
【図１１】
2004326428.tif 000013
【図１２】
2004326428.tif 000014
【図１３】
2004326428.tif 000015